(57)【要約】【課題】  カードや冊子に対して、オンディマンドによる偽造防止機能を付与することができる熱転写プリンタを供給することを目的とする。【解決手段】  基材フィルムに予め形成された着色画素層の隣接部に磁性パターン形成用組成物を塗布して磁性層を形成する塗布ユニットと、前記磁性層に磁性パターンを形成する磁化配向ユニットと、前記磁性層を硬化して前記磁性パターンを固定する紫外線硬化ユニットと、前記着色画素層と前記磁性層とを転写媒体として熱転写にて画像形成する画像形成ユニットとを順次具備したことを特徴とする熱転写プリンタである。【選択図】図１
2014210395.tif 000002
【特許請求の範囲】
【請求項１】
基材フィルムに予め形成された着色画素層の隣接部に磁性パターン形成用組成物を塗布して磁性層を形成する塗布ユニットと、前記磁性層に磁性パターンを形成する磁化配向ユニットと、前記磁性層を硬化して前記磁性パターンを固定する紫外線硬化ユニットと、前記着色画素層と前記磁性層とを転写媒体として熱転写にて画像形成する画像形成ユニットとを順次具備したことを特徴とする熱転写プリンタ。
【請求項２】
前記磁性パターン形成用組成物が磁性粒子と紫外線硬化樹脂とを含有し、前記磁化配向ユニットが電磁コイルまたは双極子磁場発生装置からなり、前記紫外線硬化ユニットが紫外線照射装置からなることを特徴とする請求項１に記載の熱転写プリンタ。
【発明の詳細な説明】
【技術分野】
【０００１】
本発明はオンディマンドでカードや冊子に偽造防止機能を付与する熱転写プリンタに関するものである。
【背景技術】
【０００２】
従来より、クレジットカード、キャッシュカード、各種証明ＩＤカード等の磁気カードやＩＣカード、あるいは個人情報を記載した冊子等には、その偽造防止のためのセキュリティ対策としてカード面の所定の位置にホログラム回折格子パターンを形成した転写媒体を熱転写等により貼着する方法が知られている。前記回折格子パターンは高精細なパターンで、また、その製造方法が複雑であるため優れた偽造防止効果を有すものとして期待されている。
【０００３】
しかしながら、一方で、上記のような前記ホログラム回折格子パターンが形成された転写媒体は、その作製工程が複雑であることから、一般的には予め同一パターンで量産される。
【０００４】
例えば、上記回折格子パターンが形成された転写媒体は、基材フィルムの一方の面に剥離層（兼保護層）、ホログラム形成層、接着層が順次積層することで得られる。具体的には、前記ホログラム層は熱可塑性樹脂からなり、回折格子パターンが形成された金属製のホログラム原版と重ね合わせ、加熱・加圧することで前記熱可塑性樹脂に回折格子パターンが転写（複製）される。このホログラム層上に金属薄膜を形成することで金属光沢のあるコントラストの大きな画像を得ることができる。また、用途に応じては金属薄膜を設けずに透明な画像を供することもできる。
【０００５】
汎用の熱転写プリンタは、例えばカード面の所定の位置に上記のような、予め同一パターンで作成した前記転写媒体を用いてホログラムを転写することで偽造防止機能を付与し、さらにカード面の他の領域に、顔写真のような画像を着色画素からなる熱転写媒体を用いて、同じく熱転写で形成する機構からなるものである（特許文献１）。
【０００６】
しかしながら、上記のような熱転写プリンタは、予め同一パターンで作成したホログラム層を転写することで偽造防止機能を付しているため、カード一枚毎に異なる、所謂オンディマンドの偽造防止対策を付与することができない。
【先行技術文献】
【特許文献】
【０００７】
【特許文献１】特開平７−１５６３６６
【発明の概要】
【発明が解決しようとする課題】
【０００８】
本発明は、カードや冊子に対して、オンディマンドによる偽造防止機能を付与することができる熱転写プリンタを供給することを目的とする。
【課題を解決するための手段】
【０００９】
本発明の請求項１に係る発明は、基材フィルムに予め形成された着色画素層の隣接部に磁性パターン形成用組成物を塗布して磁性層を形成する塗布ユニットと、前記磁性層に磁性パターンを形成する磁化配向ユニットと、前記磁性層を硬化して前記磁性パターンを固定する紫外線硬化ユニットと、前記着色画素層と前記磁性層とを転写媒体として熱転写に
て画像形成する画像形成ユニットとを順次具備したことを特徴とする熱転写プリンタである。
【００１０】
また、本発明の請求項２に係る発明は、前記磁性パターン形成用組成物が磁性粒子と紫外線硬化樹脂とを含有し、前記磁化配向ユニットが電磁コイルまたは双極子磁場発生装置からなり、前記紫外線硬化ユニットが紫外線照射装置からなることを特徴とする請求項１に記載の熱転写プリンタである。
【発明の効果】
【００１１】
本発明の請求項１に係る発明によれば、塗布ユニットにて形成された磁性層が未硬化の状態で、次の磁化配向ユニットにて磁化配向されて磁性パターンが形成され、前記磁性パターンを保持したまま、次の紫外線硬化ユニットにて硬化・固定することができ、カードや冊子の一つ毎に異なる磁性パターンを調整することができる。すなわち、従来の着色画素による画像に加えて、カードや冊子の一つ一つが異なる固有の磁性パターンを形成することによりオンディマンドの偽造防止機能を付与することができる。
【００１２】
また、請求項２に係る発明によれば、磁性粒子と紫外線硬化樹脂とを含有する前記磁性パターン形成用組成物を用いることにより、塗布後、未硬化状態で電磁コイルまたは双極子磁場発生装置からなる磁化ユニットで形成された磁性パターンを、紫外線硬化ユニットでの紫外線照射によりその形状を保持したまま瞬時に硬化することができ、固有の偽造防止機能を付与したカードや冊子を提供することができる。
【図面の簡単な説明】
【００１３】
【図１】本発明に係る熱転写プリンタの機構を示す一実施形態の概略図。
【図２】従来の熱転写プリンタの機構を示す一実施形態の概略図。
【図３】本発明に係る転写媒体の一実施形態を示す断面概略図。
【図４】本発明に係る転写媒体の磁性パターンの一実施形態を示す平面概略図。
【発明を実施するための形態】
【００１４】
以下に、図に基づいて本発明の詳細な説明をする。
【００１５】
図１は、本発明に係る熱転写プリンタの機構を示す一実施形態の概略図である。また、図２は従来の熱転写プリンタの機構を示す一実施形態の概略図である。
【００１６】
図３は、本発明に係る転写媒体の一実施形態を示す断面概略図であり、図３（ａ）は基材フィルム１の一方の面に、剥離層２、その上に着色画素であるＹ（黄色画素）、Ｍ（赤色画素）、Ｃ（青色画素）が面順次に形成された状態を示す。図３（ｂ）は前記着色画素の隣接部に磁性パターン形成用組成物が塗布され磁性層４が形成された状態を示す。また、図３（ｃ）は磁性層４が磁化配向して形成した磁性パターン５を示す。
【００１７】
図４は、本発明に係る転写媒体の磁性パターンの一実施形態を示す平面概略図であり、図４（ａ）は前記着色画素の隣接部に磁性パターン形成用組成物が塗布され磁性層４が形成された状態を示し、図４（ｂ）は磁性層４を磁化配向して形成した磁性パターン５を示す。
【００１８】
図１に示すように、本発明の熱転写プリンタ１００は、一方の面に、予め剥離層２と着色画素層３とが順次積層された基材フィルム１を供給する巻出部１０、前記磁性パターン形成用組成物を塗布して磁性層４を形成する塗布ユニット２０、前記磁性層４中の磁性粒子をパターン形成する磁化配向ユニット３０、磁性パターン５を固定する紫外線硬化ユニット４０、カードや冊子に画像形成（転写）する画像形成ユニット５０、転写後の基材フィルム１を巻き取る巻取部等で構成される。
【００１９】
具体的には、例えば図３（ａ）に示すような、予め基材フィルム１の一方の面に、剥離層２、その上にＹ（黄色画素）、Ｍ（赤色画素）、Ｃ（青色画素）が面順次に形成された転写媒体が巻出部１０から搬送される。次に、塗布ユニット２０にて磁性粒子と紫外線硬化樹脂とを含有する前記磁性パターン形成用組成物を塗布して磁性層４を形成する。
【００２０】
次に、前記磁性層４を磁化配向ユニット３０にて、未硬化の状態で任意の磁性パターン５を形成し、続いて紫外線硬化ユニット４０にて、前記磁性パターン５の形状を保ったままで硬化させ転写媒体を作製する。前記磁性パターン形成用組成物が紫外線硬化樹脂を含む無溶剤の組成物であるため、溶剤を乾燥する必要がなく、環境にやさしく硬化速度の極めて早い磁性層４を形成することができる。
【００２１】
次に、サーマルヘッドからなる画像形成ユニット５０にて、別途供給された被転写体（例えばカード等）に任意の画像及び磁性パターン５が形成された磁性層４を熱転写して、固有の偽造防止機能を有する転写体を作製することを特徴とする熱転写プリンタである。
【００２２】
これに対して従来の熱転写プリンタでは、図２に示すように任意の画像形成はできるが、その転写体固有の偽造防止機能を付与することができない。
【００２３】
本発明に係る磁性パターン形成用組成物は、少なくとも磁性粒子、紫外線硬化樹脂、光開始剤を含有するものであるが、粘度等の組成物の流動性の調整が必要であれば、アクリロイル基を有する反応性希釈モノマーを配合することもできる。また、前記磁性パターン形成用組成物に含まれる磁性粒子、紫外線硬化樹脂、光開始剤等は特に限定するものではなく、公知の材料を用いることができる。
【００２４】
前記磁性パターン形成用組成物を塗布して磁性層４を形成する塗布ユニット２０としては、パターン形成が可能な塗布方法であれば特に限定するものではないが、比較的高い粘度で塗布できるフレキソ印刷法が好ましい。
【００２５】
前記磁性層４中の磁性粒子を磁化配向させて磁性パターン５を形成する磁化配向ユニット３０は、図１に示すような基材フィルム１の磁性層４側から、又は両側（記載せず）から電磁コイルまたは双極子磁場発生装置等を設置することで構成される。
【００２６】
また、上記で形成された磁性パターン５を保持したまま硬化、固定する紫外線硬化ユニット４０は、高圧水銀ランプやヘタルハライドランプ等を光源とする紫外線照射装置から構成される。
【００２７】
次に、例えばカード等の被転写体に、図３（ｃ）に示すような着色画素３と磁性パターン５が形成された磁性層４からなる転写媒体を用いて、任意の画像及び磁性層４を熱転写する画像形成（熱転写）ユニットは、サーマルヘッド等で構成される。カラー画像は、Ｙ（黄色画素）、Ｍ（赤色画素）、Ｃ（青色画素）を順次転写して形成し、その後磁性層４を転写してもよく、またその逆の手順でもよい。転写後の使用済の転写媒体は巻取部６０に搬送されて、本発明の熱転写プリンタ１００による一連のプリント工程を終了し、固有の偽造防止機能を有するカードを作製することができる。なお、熱転写プリンタ１００内にカードの自動供給・排出機構（図の記載を省く）を具備することで、カードに連続して画像等を形成することができる。
【産業上の利用可能性】
【００２８】
本発明は、平坦な基材の表面に、絵柄と同時に一つ一つ固有の磁性パターンを形成する
ことで、オンディマンドの偽造防止機能を付与する用途に活用できる。
【符号の説明】
【００２９】
１    ・・・基材フィルム
２    ・・・剥離層
３    ・・・着色画素層
４    ・・・磁性層
５    ・・・磁性パターン
１０  ・・・巻出部
２０  ・・・塗布ユニット
３０  ・・・磁化配向ユニット
４０  ・・・紫外線硬化ユニット
５０  ・・・画像形成ユニット
６０  ・・・巻取部
１００・・・熱転写プリンタ
１００´・・熱転写プリンタ
【図１】
2014210395.tif 000003
【図２】
2014210395.tif 000004
【図３】
2014210395.tif 000005
【図４】
2014210395.tif 000006